(57)【要約】エレベータかご（２）はクロスヘッド部（８）とクロスヘッド部（８）に取り付けられた手すり（１０）を備える。手すり（１０）はかご（２）の通常運転用の格納位置からかご（２）の点検運転用の展開位置に移動可能である。かご（２）はかご（２）の移動を防止又は制限するためにクロスヘッド（８）に取り付けられた第２の格納可能な安全装置（１２、１４）を更に備える。エレベータかご（２）の通常運転用の格納位置とエレベータかご（２）の点検運転用の展開位置との間を移動可能な格納可能な手すり（１０）を備えるエレベータかご（２）も開示される。手すり（１０）は点検運転中にエレベータかご（２）の動作を行う少なくとも一つの制御装置（４０、４２、４４）を備え、前記制御装置（４０、４２、４４）は、前記手すり（１０）が格納位置にあるときに動作されないようになっている。
2007516138.tif 000002
【特許請求の範囲】
【請求項１】
クロスヘッド部（８）と、前記クロスヘッド部に取り付けられた手すり（１０）と、を備えるエレベータかご（２）であって、前記手すりは前記かごの通常運転用の格納位置から前記かごの点検運転用の展開位置に移動可能であり、かつ、前記かごの移動を防止又は制限するために前記クロスヘッドに取り付けられた第２の格納可能な安全装置（１２、１４）をさらに備えることを特徴とするエレベータかご（２）。
【請求項２】
前記第２の格納可能な安全装置が格納可能なバンパ（１２）又は安全ボルト（１４）のいずれか一方を備えることを特徴とする請求項１に記載のエレベータかご（２）。
【請求項３】
前記クロスヘッド部（８）に取り付けられた第３の格納可能な安全装置（１２、１４）を備える請求項１又は２に記載のエレベータかご（２）。
【請求項４】
前記第３の格納可能な安全装置が格納可能なバンパ（１２）又は安全ボルト（１４）のいずれか一方を備えることを特徴とする請求項３に記載のエレベータかご（２）。
【請求項５】
前記第２・第３の安全装置（１２、１４）がエレベータ・ガイドレール（２０）に取り付けられた協働構造物（２２、２６）に係合するように出来ていることを特徴とする請求項１〜４のいずれかに記載のエレベータかご（２）。
【請求項６】
前記手すり（１０）が、前記格納位置にあるときに前記かごの上部（１６）の大半にわたって横たわることを特徴とする請求項１〜５のいずれかに記載のエレベータかご（２）。
【請求項７】
前記格納可能な手すり（１０）が点検中に前記かごの動作を行う一つもしくは複数の制御装置（４０、４２、４４）を備えることを特徴とする請求項１〜６のいずれかに記載のエレベータかご（２）。
【請求項８】
点検モード中に前記かごの動作を行う前記制御装置（４０、４２、４４）の少なくとも一つが、前記手すりが格納位置にある間は動作されないように、前記手すり（１０）上に配置されることを特徴とする請求項７に記載のエレベータかご（２）。
【請求項９】
エレベータかごの通常運転用の格納位置と前記エレベータかごの点検運転用の展開位置との間を移動する格納可能な手すり（１０）を備えるエレベータかご（２）であって、前記手すりが前記点検運転中に前記エレベータかごを動作する少なくとも一つの制御装置（４０、４２、４４）を備え、前記制御装置が、前記手すりが前記格納位置にあるときに、動作されないようになっていることを特徴とするエレベータかご（２）。
【請求項１０】
前記制御装置（４０、４２、４４）が、前記格納位置において接触できないように、前記手すり上に物理的に配置されることを特徴とする請求項８又は９に記載のエレベータかご（２）。
【請求項１１】
前記エレベータの通常運転と点検運転とを切り替える制御装置（３６）をさらに備え、該制御装置は、前記手すり（１０）の前記展開位置においては動作不能でありかつ前記格納位置においては動作可能であるようになっていることを特徴とする請求項８〜１０のいずれかに記載のエレベータかご（２）。
【請求項１２】
通常運転と点検運転とを選択する前記制御装置（３６）の物理的配置により、前記手すり（１０）の前記格納位置においては動作が許容されかつ前記展開位置においては動作が許容されないことを特徴とする請求項１１に記載のエレベータかご（２）。
【請求項１３】
前記制御装置（３６、４０、４２、４４）が、前記手すり（１０）に配置された制御ボックス（１８、３４）上に設けられることを特徴とする請求項８〜１２のいずれかに記載のエレベータかご（２）。
【発明の詳細な説明】
【技術分野】
【０００１】
本発明は、特にオーバーヘッドスペースが少ないマシンルームレスエレベータの据付において、エレベータかごの上部で作業する保守技術者の安全を向上する装置に関する。
【背景技術】
【０００２】
マシンルームレスエレベータの据付に益々移行するにつれて、保守技術者がかごの上に乗って点検を行う必要がある場合、かごが最上階の階床にあるときにかごの上に立つ十分なスペースがないためにかなりの危険が生じることが本発明の属する技術分野において認識されている。
【０００３】
エレベータかごの上部で点検を行う技術者の安全を向上する種々の提案がされてきた。例えば、トラクション駆動装置のスリップ力より大きい力に耐えられる、垂直に伸びる垂直柱をかごの上に設けて、垂直柱が昇降路の頂部に当接する点を越えてかごが昇降路の頂部に向かって駆動されないようにすることが米国特許第６，４８１，５３４号に開示されている。大人の背丈より高い垂直柱を設けることにより技術者のための十分な頭上スペースが確保され得る。
【発明の開示】
【発明が解決しようとする課題】
【０００４】
本発明の目的はエレベータの点検を行う技術者を保護するために設けられた安全装置を改善することである。
【課題を解決するための手段】
【０００５】
第１の態様を参照すれば、本発明は、クロスヘッド部と前記クロスヘッド部に取り付けられた手すりを備えるエレベータかごであって、前記手すりはかごの通常運転用の格納位置からかごの点検運転用の展開位置に移動可能であり、かつ、かごの移動を防止又は制限するために前記クロスヘッド部に取り付けられた第２の格納可能な安全装置を更に備えることを特徴とするエレベータかごを提供する。
【０００６】
このように、本発明によれば、安全装置が、かごの上の頭上スペースが少ない点検モードでのエレベータの動作に適し、一体化されたクロスヘッドに設けられるような装置が提供されることが分かるであろう。これにより、エレベータかごの上部の必要な空間量を著しく増加することなく、かつ多数の安全機能を設けることができ、従ってかごの上に立つ技術者に利用可能な空間を最大限にする。それはまた、安全装置を取り付けるための適度な補強を必要とするのはかごの一部だけであり、またいずれの場合も、通常は既にクロスヘッドがかごの上部において最も強固な部分であるので、その重量とコストを最小限にする。
【０００７】
好ましい実施例において、第２の格納可能な安全装置は格納可能なバンパ又は安全ボルトのいずれか一方を備える。最も好ましくは、両方の装置が設けられる。バンパは所定点を越えるかごの移動を制限する装置であり、一方、安全ボルトは実質的にかごの移動を全くさせない装置である。好ましくは、前記安全装置のどちらか又は両方はエレベータ・ガイドレールに取り付けられた協働構造物に係合するように出来ている。
【０００８】
手すりはその格納位置にあるときにかごの上部の大半にわたって横たわることが好ましい。これは、技術者が手すりを展開しないとかごの上部に立ち難くなる点において有益である。
【０００９】
好ましくは、安全装置が展開されるまでかごの点検運転を防止するためにスイッチ手段が格納可能な安全装置の少なくとも一つに連動する。
【００１０】
本発明の好ましい実施例によれば、手すりは点検中にかごを動作するための、例えば制御ボックス内にある、一つもしくは複数の制御装置を備える。これにより、手すりを展開することにより制御装置が作業しやすい高さに持ち上げられる点において人間工学上の利点が得られる。従って、それはそのような制御装置に手が届くように技術者がかがむ必要をなくし、一方、通常運転中にかごの上に必要な垂直空間量を制限できる。
【００１１】
特に好ましい実施例において、点検モード中にかごの動作を行う少なくとも一つの制御装置が、手すりが格納位置にある間に動作されないように手すり上に配置される。これは、少なくとも一つの安全装置、即ち格納可能な手すり、が展開されるまで技術者が点検運転を行うのを防止する点において有利である。
【００１２】
実際、そのような配置は、多数の安全装置をクロスヘッドと一体化して備え付けなくても、それ自体で有利であり、従って、本発明の更なる態様から見たときに、エレベータかごの通常運転用の格納位置とエレベータかごの点検運転用の展開位置との間を移動可能な格納可能な手すりを備え、手すりは点検運転中にエレベータを動作する少なくとも一つの制御装置を備え、その場合、制御装置は手すりが格納位置にあるときに動作されないように配置された、エレベータかごが提供される。
【００１３】
手すりに設けられた点検制御装置は、制御装置の動作を選択的に許すためのスイッチ又は手すりの位置を検出する他の手段に連動されてもよい。しかしながら、好ましくは、制御装置は、格納位置において接触できないように手すりに物理的に配置される。これは完全に信頼性のある動作を考慮しつつ余分なコンポーネントをほとんど必要としないので有利である。
【００１４】
更なる好ましい特徴として、エレベータかごの通常運転と点検運転とを切り替える制御装置が、手すりの展開位置において動作できず、格納位置において動作できるように配置される。こうして、好ましい実施例において、二つ又は二組の制御装置、即ち、エレベータかごの通常運転と点検運転とを選択しかつ手すりの格納位置において接触できるが展開位置において接触できない第１の制御装置と、点検運転中にかごの動作を制御しかつ手すりの展開位置において動作できるが格納位置において動作できない第２の制御装置、がある。
【００１５】
前記のように、通常運転と点検運転とを選択する制御装置は手すりの位置を検出するスイッチ又は他の手段に連動されてもよいが、好ましくは、制御装置の物理的配置が、手すりの格納位置において動作を許し、展開位置において動作を許さない。
【００１６】
本発明のこの態様による制御装置は手すりに配置された制御ボックス、例えば本発明の属する技術分野において知られた形式のかご点検ボックス、の上に設けられる。本発明の一部の好ましい実施例が添付図面を参照して、単なる例示として以下に説明される。
【発明を実施するための最良の形態】
【００１７】
図１を参照すれば、本発明によるエレベータかご２を見ることができる。エレベータかご２の全体的な設計及び構造は標準的なものであり、本発明の属する技術分野において周知であるためここでは詳細には説明しない。
【００１８】
かご２はその正面に一対のスライドドア４を備える。かごの片側にはカンチレバー（片持ち式）取り付け装置６があり、これは使用時にガイドレール（図示せず）内を垂直並進移動するようにかご２を取り付ける。カンチレバー取り付け装置６の上部にはクロスヘッド部８がある。
【００１９】
クロスヘッド８には三つの別個の格納可能な安全装置、即ち格納可能な手すり１０、格納可能なバンパ１２及び安全ボルト１４が取り付けられる。従って、クロスヘッド８はカンチレバー取り付け装置６の強度を向上するだけでなく、安全装置１０、１２、１４の一体的な取り付けを容易にする。図２（以下に説明する）でより明確に分かるように、安全装置のためのこの一体化された取り付け装置はエレベータかご１６の上部が取り付け装置等により場所を実質的に占領されず、それにより点検を行う技術者の自由な移動を許し、その一方で動き回る際に技術者がつまずく危険性を最小限にする。
【００２０】
格納可能な手すり１０はその二つの脚によりクロスヘッド８にヒンジ式に取り付けられる矩形フレームを備える。図１に示されるようなその格納位置にあるときは、手すり１０はかご１６の上部に横たわっている。手すり１０をその格納位置に維持するためにクリップ、ラッチ等（図示せず）が設けられる。図示のような格納位置にあるときは、手すりはかごの上部での作業が難しくなるように、かごの上部１６の大部分にわたり横たわる。これは、点検を行う前に、手すり１０を展開するように直感的な合図を与える。
【００２１】
格納可能なバンパ１２は接触パッド１２ａ及びベース板１２ｂを備える。接触パッド１２ａはベース板１２ｂに取り付けられ、これが次に軸回転するようにクロスヘッド８に取り付けられ、バンパを図１に示される水平面上の格納位置から図２に示される展開位置まで回転させる。もう一つの実施例（図示せず）においては、バンパはクロスヘッドからスライドして出入りするようになっている。スイッチ（図示せず）が格納可能なバンパに連動していて、バンパが展開されるまでかごの点検運転を防止し、逆にそれが展開されると通常運転を防止する。
【００２２】
安全ボルト１４がクロスヘッド８の貫通穴の中に摺動するように保持され、これにより、安全ボルト１４の遠端部がクロスヘッド８の外面から突き出ない図１に示される格納位置から、ボルト１４がクロスヘッド８の外面から突き出る図２の展開位置まで、安全ボルト１４の摺動が可能となる。
【００２３】
図２は前記の安全装置１０、１２、１４の三つ全てがそれらの展開位置にあるエレベータかご２を示す。図２は、またエレベータ・ガイドレール２０の一部を示す。
【００２４】
先ず手すり１０を考えれば、これが直立位置まで持ち上げられたことが分かるであろう。この直立位置において、手すり１０は技術者がかごの上部から、かごと昇降路壁との間の隙間の中に落ちないようにする。それはまた技術者が掴るのに便利なハンドレールを提供し、かご点検ボックス１８の上部を作業に便利な高さにもってくる。
【００２５】
格納可能なバンパ１４は、バンパが後方のガイドレール２０に取り付けられた衝撃板２２の経路に来るようにクロスヘッド８の側部から横方向に伸びるように水平に回転される。この配置はエレベータが衝撃板を越えて移動しないようにし、従って、エレベータが危険にも昇降路の頂部近くに上昇しないようにする。
【００２６】
最後に、安全ボルト１４が、クロスヘッド８の外面を越え、さらに遠端のガイドレール２０（図２では明確を期して取り外されて示される）に着脱自在に嵌められた板２６内の開口２４の中まで突き出ている。安全ボルト１４は、エレベータかごを所定位置にロックしてその如何なる移動も防止する必要がある場合あるいはそうしたい場合の重要な保守に使用される。
【００２７】
図３ａ及び図３ｂはそれぞれクロスヘッドの正面図及び平面図であり、図３ｃは図３ａの線Ｚ−Ｚによる断面である。これら三つの図は安全装置に対する取り付け点を示す。こうして格納可能な手すり１０に対する軸回転点２８は図３ａ及び図３ｃで分かり、格納可能なバッファ１２に対する固定点３０は図３ａ及び図３ｂで分かり、安全ボルト１４に対する穴３２は図３ａで分かるであろう。
【００２８】
図示されていないが、安全スイッチが安全装置１０、１２、１４のいずれか又は全てに連動しており、安全装置が適切に展開されるまでエレベータの点検運転を防止してもよい。
【００２９】
本発明の更なる実施例が図４〜図８に示される。これは前述の実施例に似ており、従って、これについての更なる詳細な説明は不要である。この実施例の顕著な違いはかご点検ボックス３４の上部（Top of car inspection box、ＴＯＣＩボックス）の構造にある。図４において、また図５及び８ｂにおいてより詳細に分かるように、手すり１０が図示の格納位置にあるときは、二つの制御装置のみが接触可能であるが、その一つは通常運転と点検運転を選択する回転スイッチ３６である。これは図８ａで最も明確に分かるだろう。もう一つは緊急停止ボタン３８であり、これはＴＯＣＩボックス３４の前端に配置することにより接触可能である。これら二つの制御装置３６、３８は階床かかご２の上部のどちらかから接触可能である。しかしながら、点検モードでエレベータの動作を行う制御装置はこの位置から接触できない。図６、図７及び図８ａは手すり１０の展開位置を示す。この位置において今度は、格納位置においてエレベータかご１６の上部に面していたＴＯＣＩボックス３４の面が接触可能となる。図８ａにおいて最も明確に分かるように、この面はＵｐボタン、Ｄｏｗｎボタン、Ｃｏｍｍｏｎ（共通）ボタン、及びアラーム・プッシュボタン４０〜４６をそれぞれ備え、これらはエレベータの点検運転に使用されるであろう。通常運転（図中、ＮＯＲＭ）と点検運転（図中、ＩＮＳ）を切り替える回転スイッチ３６は、それがかごの上部の技術者から離れて面しているＴＯＣＩボックス３４の面にあるので、もはや容易に接触できないことが更に分かるであろう。最後に緊急停止ボタン３８がＴＯＣＩボックス３４の端部にあることにより階床もしくはかごの上部のどちらかから常時容易に接触可能のままであることが分かるであろう。
【００３０】
図９ａと図９ｂはそれぞれ図８ａと図８ｂに類似の図であり、点検運転プッシュボタン４０〜４６の別の考え得る構造を示す。
【００３１】
更なる実施例が図１０、図１１、図１２ａ及び図１２ｂに示される。この実施例においては、アラームボタン４６は、手すり１０が展開されるときには（図１１）ＴＯＣＩボックス３４の上面に配置され、従って、手すりが格納されるときには（図１０）側面に配置される。こうして、手すり１０がどちらの位置にあってもアラームボタン４６はやはり階床とかごの上部の両方から接触可能である。
【００３２】
以上の説明は、本発明の例示的な実施例に過ぎず、本発明の範囲内で多くの変更と変形が成され得ることは当業者により認識されるであろう。
【図面の簡単な説明】
【００３３】
【図１】本発明に係るエレベータかごの斜視図であり、その安全機能は格納位置にある。
【図２】図１と類似の図であり、安全装置は展開されている。
【図３ａ】エレベータクロスヘッドの種々の詳細図である。
【図３ｂ】エレベータクロスヘッドの種々の詳細図である。
【図３ｃ】エレベータクロスヘッドの種々の詳細図である。
【図４】本発明の更なる実施例に係るエレベータかごの斜視図であり、手すりはその格納位置にある。
【図５】図４の実施例の部分平面図である。
【図６】図４のエレベータかごの斜視図であり、手すりは展開されている。
【図７】展開された手すり上のかご点検ボックスの上部の部分的平面図である。
【図８ａ】本発明によるかご点検ボックスの上部の下面図である。
【図８ｂ】本発明によるかご点検ボックスの上部の上面図である。
【図９ａ】かご点検ボックスの上部のもう一つの実施例の下面図である。
【図９ｂ】かご点検ボックスの上部のもう一つの実施例の上面図である。
【図１０】本発明のもう一つの実施例の格納された手すりの部分平面図である。
【図１１】図１０の手すりの展開後の部分平面図である。
【図１２ａ】図１０及び図１１のＴＯＣＩボックスの各下面図である。
【図１２ｂ】図１０及び図１１のＴＯＣＩボックスの各上面図である。
【図１】
2007516138.tif 000003
【図２】
2007516138.tif 000004
2007516138.tif 000005
【図４】
2007516138.tif 000006
【図５】
2007516138.tif 000007
【図６】
2007516138.tif 000008
【図７】
2007516138.tif 000009
2007516138.tif 000010
2007516138.tif 000011
【図１０】
2007516138.tif 000012
【図１１】
2007516138.tif 000013
2007516138.tif 000014
【国際調査報告】
2007516138.tif 000015
2007516138.tif 000016